(57)【要約】【課題】既存の建物内での吊り上げ作業が容易であり、安全性および経済性の優れたエレベータとそのリニューアル工法を提供する。【解決手段】本発明のエレベータのリニューアル工法は、昇降路の上に設けられた機械室（２）にギアレス巻上機（１４）および駆動シーブ（１５）を別々に搬入し、別々に搬入されたギアレス巻上機（１４）および駆動シーブ（１５）を機械室（２）でマシンベッド（１２）上に組み立てることを特徴とする。【選択図】　図２
2004099270.tif 000002
【特許請求の範囲】
【請求項１】
昇降路の上に設けられた機械室のマシンベッド上に据え付けられたギアレス巻上機と、前記マシンベッド上に据え付けられたシーブ支えと、このシーブ支えに回転自在に取り付けられた駆動シーブと、この駆動シーブに巻き掛けられ前記ギアレス巻上機によって駆動される主ロープと、前記昇降路内で前記主ロープの一端に吊り下げられたかごと、前記昇降路内で前記主ロープの他端に吊り下げられたつり合おもりとを備えたエレベータ。
【請求項２】
請求項１に記載のエレベータにおいて、前記ギアレス巻上機を制御するための制御盤が前記マシンベッド上に配置されていることを特徴とするエレベータ。
【請求項３】
昇降路の上に設けられた機械室にギアレス巻上機および駆動シーブを別々に搬入し、別々に搬入された前記ギアレス巻上機および駆動シーブを前記機械室でマシンベッド上に組み立てることを特徴とするエレベータのリニューアル工法。
【請求項４】
請求項３に記載のリニューアル工法において、前記マシンベッド上に、前記ギアレス巻上機を制御するための制御盤をも配置することを特徴とするエレベータのリニューアル工法。
【発明の詳細な説明】
【０００１】
【発明の属する技術分野】
本発明は、昇降路の上に設けられるエレベータとそのリニューアル工法に関する。
【０００２】
【従来の技術】
一般的に、高層建築物に設置されたエレベータは、高速性、省電力性、および制御の知能性、運転精度などの技術レベルに、安全性、意匠性などを加味した様々な要素で評価され、その総合的な商品価値が決定されている。
【０００３】
また、最近のエレベータは電子技術の採用によってサービス機能が著しく進歩すると共に、意匠面においても現代感覚にあったものとなり、安全で快適な輸送設備としてその普及にはめざましいものがある。
【０００４】
その一方、老朽化したエレベータに対しての改造、改修、リニューアル工事も必要不可欠であり、その既設のエレベータと新設のエレベータを入れ替えるという特異な工事形態の上でエレベータの利用者、或いは設置作業者の安全性や作業性を向上させるには様々な技術が必要となる。
【０００５】
図５および図６は、一般的なエレベータの概略構成を示す模式図である。建物内に設けられた昇降路１の上側に機械室２が設けられ、この機械室２内に巻上機３が配置される。巻上機３は主モータ４、減速ギア５、および駆動シーブ６からなり、駆動シーブ６に主ロープ７が巻き掛けられ、その一方にかご８が吊り下げられ、他方にそらせシーブ９を介してつり合おもり１０が吊り下げられている。巻上機３はマシンビーム１１上にマシンベッド１２を介して配置されている。主モータ４は制御盤１３内に収められた制御装置によって制御される。
【０００６】
このように構成されたエレベータにリニューアル（改修）工事を施す場合、基本的に機械室２内の機器である巻上機３および制御盤１３を交換し、新しいエレベータとして使用する。ユーザなどの要望によっては、かご８の意匠や、昇降路１内の用品についても交換を行う。機械室２内の用品は、重たいかご８やつり合おもり１０を吊り下げるために、それら自体も相当の強度を持たせる必要があって大重量となり、これらの用品を既設の建物の最上部にある機械室２にまで吊り上げる作業はクレーンや多くの人手による手間のかかる作業になってしまうのが一般的である。また、巻上機３の部分に関しては、既存の巻上機３の主モータ４のみを交換し、新しいエレベータとして使用する工法も存在するが、その場合、継続して使用される巻上機３の減速ギア５の老朽化の問題があり、継続的な利用が不可能になる場合もある。
【０００７】
【発明が解決しようとする課題】
前記のようなリニューアル（改修）工事を進める場合には、重量物の既存の建物内の揚重、或いは建物付近の道路を使用してのクレーン揚重などの手段を採るしかなく、建物のオーナーや利用者に多大な迷惑をかけるだけではなく、施工側の作業員の作業工数に関しても削減できる要素がないため、客先へのコスト面での還元も不可能な状況にあった。
【０００８】
現状のリニューアル工法では、前述の巻上機３のモータ６のみを交換する方法により、ある程度の要望には応えることができるものの、エレベータ全体のシステムの信頼性の向上を図るという本来のリニューアル（改修）工事の目的に反する部分が生じてしまうという問題があった。
【０００９】
本発明は、このような問題を解決するためになされたものであり、既存の建物内での吊り上げ作業が容易であり、安全性および経済性の優れたエレベータとそのリニューアル工法を提供することを目的とする。
【００１０】
【課題を解決するための手段】
上記目的を達成するために、請求項１に係る発明のエレベータは、昇降路の上に設けられた機械室のマシンベッド上に据え付けられたギアレス巻上機と、マシンベッド上に据え付けられたシーブ支えと、このシーブ支えに回転自在に取り付けられた駆動シーブと、この駆動シーブに巻き掛けられギアレス巻上機によって駆動される主ロープと、昇降路内で主ロープの一端に吊り下げられたかごと、昇降路内で主ロープの他端に吊り下げられたつり合おもりとを備えたものである。
【００１１】
請求項２に係る発明は、請求項１に記載のエレベータにおいて、ギアレス巻上機を制御するための制御盤がマシンベッド上に配置されていることを特徴とする。
【００１２】
請求項３に係る発明のエレベータのリニューアル工法は、昇降路の上に設けられた機械室にギアレス巻上機および駆動シーブを別々に搬入し、別々に搬入されたギアレス巻上機および駆動シーブを機械室でマシンベッド上に組み立てることを特徴とする。
【００１３】
請求項４に係る発明は、請求項３に記載のリニューアル工法において、マシンベッド上に、ギアレス巻上機を制御するための制御盤をも配置することを特徴とする。
【００１４】
【発明の実施の形態】
以下、本発明の一実施形態を図面を用いて説明する。
【００１５】
図１および図２に示すように、図５および図６に示した既設の巻上機３の主モータ４、減速ギア５、および駆動シーブ６をマシンベッド１２から取り外して、マシンベッド１２上に新たにギアレス巻上機１４および駆動シーブ１５を設置する。駆動シーブ１５は、マシンベッド１２上に立設されたシーブ支え１６によって回転自在に支持される。ギアレス巻上機１４、駆動シーブ１５、およびシーブ支え１６は既設のエレベータによって予め機械室２に別々の部品として搬入され、機械室２内でマシンベッド１２上に組み立てられる。駆動シーブ１５には主ロープ７が巻き掛けられ、主ロープ７の一方にはかご８が吊り下げられ、主ロープ７の他方はギアレス巻上機１４およびそらせシーブ９を介して導出され、その端部につり合おもり１０が吊り下げられる。ただし、主ロープ７の長さが図５および図６の場合と比べて大幅に変わる場合は、主ロープ７も他のものに交換する。マシンベッド１２は、新しく設置する駆動シーブ１４と機械室２から昇降路１への主ロープ７の落とし穴の位置、また、既存のそらせシーブ９とギアレス巻上機１４の主ロープ７との位置合わせが達成されるように形成されている。このため、分割して別々の部品として機械室２に吊り上げられた新規の構成用品をマシンベッド１２上に設置するだけでよく、機械室２以外の用品になんら影響を与えることはない。このようにして結果的に作業工数を短縮することができ、作業も容易に、しかも安価にできるようになる。
【００１６】
図３および図４は他の実施の形態に従って構成される機器配置を示すものである。この実施形態では、マシンベッド１２上に、本来、機械室２に別途据え付けられる制御盤１３も一緒に据え付け固定することができ、機械室２のレイアウト設計や据え付け作業工数および用品の削減が可能となる。
【００１７】
以上説明したように、本発明の実施の形態によれば、ギアレス巻上機と駆動シーブ、ひいては制御盤を機械室内に別々に搬入し、機械室内でマシンベッド上に組み立てる。したがって、リニューアル工事において重量物を機械室に搬入するのに、より少容量のクレーンで足り、また、より少ない人件費で足り、既設のエレベータを使用することにより時間的にも制約の少ない吊り上げ作業を遂行することができ、フレキシブルな工程での安価なリニューアル工事を実現することができる。
【００１８】
【発明の効果】
本発明によれば、ギアレス巻上機と駆動シーブを機械室に別々に搬入し、機械室でマシンベッド上に組み立てることにより、特にリニューアル工事における重量物の吊り上げ作業を既存のエレベータを使用することにより時間的にも制約の少ない吊り上げ作業を容易かつ安価に遂行することができる。
【図面の簡単な説明】
【図１】本発明の一実施形態によるエレベータの構成概要図。
【図２】図１の装置の要部の左側面図。
【図３】本発明の他の実施形態によるエレベータの構成概要図。
【図４】図３の装置の要部の左側面図。
【図５】一般的なエレベータの機器配置を示す図。
【図６】図５の装置の要部の左側面図。
【符号の説明】
１　昇降路
２　機械室
３　巻上機
４　主モータ
５　減速ギア
６　駆動シーブ
７　主ロープ
８　かご
９　そらせシーブ
１０　つり合おもり
１１　マシンビーム
１２　マシンベッド
１３　制御盤
１４　ギアレス巻上機
１５　駆動シーブ
１６　シーブ支え
【図１】
2004099270.tif 000003
【図２】
2004099270.tif 000004
【図３】
2004099270.tif 000005
【図４】
2004099270.tif 000006
【図５】
2004099270.tif 000007
【図６】
2004099270.tif 000008